(57)【要約】【課題】同一データに対して異なるＴＦを示す可能性を減らし、ＴＦ判定特性を向上させることが可能なＴＦ判定装置を提供する。【解決手段】ＴＦＣＩ絞込部１５は接続時に全てのＴｒＣＨの全てのＴＦを有効とし、ＴＦＣＩ判定部１２はいずれかのＴｒＣＨがＴＴＩ境界になった場合、無効なＴＦを含むＴＦＣＩを候補からはずしてＴＦＣＩを復号する。データ復号部１３はＴＦＣＩ復号結果からＴＴＩ境界となるＴｒＣＨのＴＦを確定し、データの復号を行う。ＴＦＣＩ絞込部１５はデータ復号部１３でのデータの復号結果からＣＲＣを判定し、その判定結果が‘ＯＫ’の場合、ＴＴＩ境界でないＴｒＣＨのＴＦを現在のＴＦＣＩから確定し、その他のＴＦを無効とする。ＴＴＩ境界となるＴｒＣＨは次のｆｒａｍｅでは別のＴＦをとり得るため、ＴＦＣＩ絞込部１５はＴＴＩ境界のＴｒＣＨの全てのＴＦを有効とする。【選択図】　　　図１
2004088519.tif 000002
【特許請求の範囲】
【請求項１】
データの到着間隔が異なる複数のトランスポートチャネルが多重自在な無線伝送方式において、前記到着間隔毎にデータを供給するためのトランスポートフォーマットを前記トランスポートチャネル毎に判定するＴＦ判定装置であって、
前記トランスポートチャネル上のデータの誤りを検出する検出手段と、前記到着間隔が異なるトランスポートチャネルが多重されている場合に前記到着間隔が最短のトランスポートチャネル上のデータの誤り検出結果を基に他のトランスポートチャネルの前記到着間隔を確定させてそれ以降の受信データのデコード並びにトランスポートブロックの分離に使用されるＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）を絞込むＴＦＣＩ絞込手段とを有することを特徴とするＴＦ判定装置。
【請求項２】
前記ＴＦＣＩ絞込手段は、確定している前記到着間隔を基に前記ＴＦＣＩの候補を絞込むことを特徴とする請求項１記載のＴＦ判定装置。
【請求項３】
前記ＴＦＣＩ絞込手段は、前記誤り検出結果が誤りなしの時に前記到着間隔の境界でないトランスポートチャネルのトランスポートフォーマットを現在のＴＦＣＩから確定し、その他のトランスポートフォーマットを無効とすることを特徴とする請求項１または請求項２記載のＴＦ判定装置。
【請求項４】
前記ＴＦＣＩ絞込手段は、前記到着間隔の境界となるトランスポートチャネルの全てのトランスポートフォーマットを有効とすることを特徴とする請求項１から請求項３のいずれか記載のＴＦ判定装置。
【請求項５】
前記トランスポートチャネルのいずれかが前記到着間隔の境界になった時に無効なトランスポートフォーマットを含む前記ＴＦＣＩを候補からはずして前記ＴＦＣＩを復号するＴＦＣＩ判定手段を含むことを特徴とする請求項１から請求項４のいずれか記載のＴＦ判定装置。
【請求項６】
前記トランスポートブロックの境界において無効なトランスポートフォーマットを含む前記ＴＦＣＩを候補からはずして前記ＴＦＣＩを判定するＴＦＣＩ判定手段を含むことを特徴とする請求項１から請求項４のいずれか記載のＴＦ判定装置。
【請求項７】
データの到着間隔が異なる複数のトランスポートチャネルが多重自在な無線伝送方式において、前記到着間隔毎にデータを供給するためのトランスポートフォーマットを前記トランスポートチャネル毎に判定するＴＦ判定方法であって、前記トランスポートチャネル上のデータの誤りを検出するステップと、前記到着間隔が異なるトランスポートチャネルが多重されている場合に前記到着間隔が最短のトランスポートチャネル上のデータの誤り検出結果を基に他のトランスポートチャネルの前記到着間隔を確定させてそれ以降の受信データのデコード並びにトランスポートブロックの分離に使用されるＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）を絞込むステップとを有することを特徴とするＴＦ判定方法。
【請求項８】
前記ＴＦＣＩを絞込むステップは、確定している前記到着間隔を基に前記ＴＦＣＩの候補を絞込むことを特徴とする請求項７記載のＴＦ判定方法。
【請求項９】
前記ＴＦＣＩを絞込むステップは、前記誤り検出結果が誤りなしの時に前記到着間隔の境界でないトランスポートチャネルのトランスポートフォーマットを現在のＴＦＣＩから確定し、その他のトランスポートフォーマットを無効とすることを特徴とする請求項７または請求項８記載のＴＦ判定方法。
【請求項１０】
前記ＴＦＣＩを絞込むステップは、前記到着間隔の境界となるトランスポートチャネルの全てのトランスポートフォーマットを有効とすることを特徴とする請求項７から請求項９のいずれか記載のＴＦ判定方法。
【請求項１１】
前記トランスポートチャネルのいずれかが前記到着間隔の境界になった時に無効なトランスポートフォーマットを含む前記ＴＦＣＩを候補からはずして前記ＴＦＣＩを復号するステップを含むことを特徴とする請求項７から請求項１０のいずれか記載のＴＦ判定方法。
【請求項１２】
前記トランスポートブロックの境界において無効なトランスポートフォーマットを含む前記ＴＦＣＩを候補からはずして前記ＴＦＣＩを判定するステップを含むことを特徴とする請求項７から請求項１０のいずれか記載のＴＦ判定方法。
【請求項１３】
データの到着間隔が異なる複数のトランスポートチャネルが多重自在な無線伝送方式において、前記到着間隔毎にデータを供給するためのトランスポートフォーマットを前記トランスポートチャネル毎に判定するＴＦ判定方法のプログラムであって、コンピュータに、前記トランスポートチャネル上のデータの誤りを検出する処理と、前記到着間隔が異なるトランスポートチャネルが多重されている場合に前記到着間隔が最短のトランスポートチャネル上のデータの誤り検出結果を基に他のトランスポートチャネルの前記到着間隔を確定させてそれ以降の受信データのデコード並びにトランスポートブロックの分離に使用されるＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）を絞込む処理とを実行させるためのプログラム。
【発明の詳細な説明】
【０００１】
【発明の属する技術分野】
本発明はＴＦ判定装置及びそれに用いるＴＦ判定方法並びにそのプログラムに関し、特に無線伝送方式におけるＴＦ（Ｔｒａｎｓｐｏｒｔ　Ｆｏｒｍａｔ：トランスポートフォーマット）の判定方法に関する。
【０００２】
【従来の技術】
３ＧＰＰ（Ｔｈｉｒｄ　Ｇｅｎｅｒａｔｉｏｎ　Ｐａｒｔｎｅｒｓｈｉｐ　Ｐｒｏｊｅｃｔ）によって規定される無線伝送方式においては、図２に示すように、ＴＴＩ（Ｔｒａｎｓｍｉｓｓｉｏｎ　Ｔｉｍｅ　Ｉｎｔｅｒｖａｌ）の異なるＴｒＣＨ（Ｔｒａｎｓｐｏｒｔ　Ｃｈａｎｎｅｌ：トランスポートチャネル）が多重されている場合、最短ＴＴＩのＴｒＣＨ＃１（１，０）を復号した結果、ＣＲＣ（Ｃｙｃｌｉｃ　Ｒｅｄｕｎｄａｎｃｙ　Ｃｈｅｃｋ）の検出結果がＯＫ（誤りなし）ならば、そのＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）判定が正しかったことが推定されるため、それ以外のＴｒＣＨ＃０，＃１のＴＦ［図２では（０，０），（２，０）のＴＦ］を確定することができる。
【０００３】
また、ＴＦが確定しているＴｒＣＨがある場合（ｆｒａｍｅ＃２，＃４等）、ＴＦＣＩのとり得る値が限定されるため、その情報を用いることでＴＦＣＩの復号特性を向上させることができる。
【０００４】
ここで、ＴｒＣＨは物理レイヤからＭＡＣ（Ｍｅｄｉａ　Ａｃｃｅｓｓ　Ｃｏｎｔｒｏｌ）サブレイヤに提供されるチャネルで、物理レイヤ上で特性や伝送形態の異なるデータを送信するために複数の種類がある。ＴＴＩはＴｒａｎｓｐｏｒｔ　Ｂｌｏｃｋ　Ｓｅｔ［同一ＴｒＣＨで同時に、レイヤ１−ＭＡＣ間で転送される基本単位であるトランスポートブロック（Ｔｒａｎｓｐｏｒｔ　Ｂｌｏｃｋ）の集まりとして定義される］のレイヤ間の到着間隔と定義され、無線インタフェース上にレイヤ１によってＴｒａｎｓｐｏｒｔ　Ｂｌｏｃｋ　Ｓｅｔが転送される時間間隔と同一の値となる。ＭＡＣはＴＴＩ毎にレイヤ１にデータを供給する。また、レイヤ１はトランスポートブロック単位でＣＲＣを付与する。
【０００５】
ＴＦはＴｒＣＨ上でＴＴＩ毎にトランスポートブロックを供給するＦｏｒｍａｔであり、ＴＦＣＩはＴＦＣ（Ｔｒａｎｓｐｏｒｔ　Ｆｏｒｍａｔ　Ｃｏｍｂｉｎａｔｉｏｎ）に１対１で対応し、レイヤ１がＴＦＣから生成して無線インタフェース上で送信する。また、ＴＦＣＩは受信側レイヤ１において、受信データのデコード並びにトランスポートブロックの分離に使用される。レイヤ１は複数のＴｒＣＨを多重化することができるので、レイヤ１で同時に転送可能なＴｒＣＨの組合せが存在し、この組合せがＴＦＣと定義されている。
【０００６】
【発明が解決しようとする課題】
上述した従来の無線伝送方式では、ＴＴＩの異なるＴｒＣＨが多重されているような場合、伝送時の雑音等によってＴＦＣＩの復号結果を誤ることがある。その時、ｆｒａｍｅ（トランスポートブロックに対応）＃０とｆｒａｍｅ＃２とでＴｒＣＨ＃２の（２，０）データに対して異なるＴＦを示す可能性がある。
【０００７】
そこで、本発明の目的は上記の問題点を解消し、同一データに対して異なるＴＦを示す可能性を減らすことができ、ＴＦ判定特性を向上させることができるＴＦ判定装置及びそれに用いるＴＦ判定方法並びにそのプログラムを提供することにある。
【０００８】
【課題を解決するための手段】
本発明によるＴＦ判定装置は、データの到着間隔が異なる複数のトランスポートチャネルが多重自在な無線伝送方式において、前記到着間隔毎にデータを供給するためのトランスポートフォーマットを前記トランスポートチャネル毎に判定するＴＦ判定装置であって、
前記トランスポートチャネル上のデータの誤りを検出する検出手段と、前記到着間隔が異なるトランスポートチャネルが多重されている場合に前記到着間隔が最短のトランスポートチャネル上のデータの誤り検出結果を基に他のトランスポートチャネルの前記到着間隔を確定させてそれ以降の受信データのデコード並びにトランスポートブロックの分離に使用されるＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）を絞込むＴＦＣＩ絞込手段とを備えている。
【０００９】
本発明によるＴＦ判定方法は、データの到着間隔が異なる複数のトランスポートチャネルが多重自在な無線伝送方式において、前記到着間隔毎にデータを供給するためのトランスポートフォーマットを前記トランスポートチャネル毎に判定するＴＦ判定方法であって、前記トランスポートチャネル上のデータの誤りを検出するステップと、前記到着間隔が異なるトランスポートチャネルが多重されている場合に前記到着間隔が最短のトランスポートチャネル上のデータの誤り検出結果を基に他のトランスポートチャネルの前記到着間隔を確定させてそれ以降の受信データのデコード並びにトランスポートブロックの分離に使用されるＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）を絞込むステップとを備えている。
【００１０】
本発明によるＴＦ判定方法のプログラムは、データの到着間隔が異なる複数のトランスポートチャネルが多重自在な無線伝送方式において、前記到着間隔毎にデータを供給するためのトランスポートフォーマットを前記トランスポートチャネル毎に判定するＴＦ判定方法のプログラムであって、コンピュータに、前記トランスポートチャネル上のデータの誤りを検出する処理と、前記到着間隔が異なるトランスポートチャネルが多重されている場合に前記到着間隔が最短のトランスポートチャネル上のデータの誤り検出結果を基に他のトランスポートチャネルの前記到着間隔を確定させてそれ以降の受信データのデコード並びにトランスポートブロックの分離に使用されるＴＦＣＩ（Ｔｒａｎｓｐｏｒｔ　ＦｏｒｍａｔＣｏｍｂｉｎａｔｉｏｎ　Ｉｎｄｉｃａｔｏｒ）を絞込む処理とを実行させている。
【００１１】
すなわち、本発明のＴＦ判定装置は、ＴＴＩ（Ｔｒａｎｓｍｉｓｓｉｏｎ　Ｔｉｍｅ　Ｉｎｔｅｒｖａｌ）の異なるＴｒＣＨ（Ｔｒａｎｓｐｏｒｔ　Ｃｈａｎｎｅｌ：トランスポートチャネル）が多重されている場合において、最短ＴＴＩのＴｒＣＨのＣＲＣ（Ｃｙｃｌｉｃ　Ｒｅｄｕｎｄａｎｃｙ　Ｃｈｅｃｋ）の検出結果を基に他のＴｒＣＨのＴＦ（Ｔｒａｎｓｐｏｒｔ　Ｆｏｒｍａｔ：トランスポートフォーマット）を確定させ、それ以降のＴＦＣＩ（ＴｒａｎｓｐｏｒｔＦｏｒｍａｔ　Ｃｏｍｂｉｎａｔｉｏｎ　Ｉｎｄｉｃａｔｏｒ）を絞り込むことで、ＴＦ判定精度を向上させることを特徴とする。
【００１２】
より具体的に説明すると、本発明のＴＦ判定装置では、図２と、ＴＦＣＩとＴＦとの対応例を示す図３とに示すようにしてＴＦＣＩを絞り込んでいる。まず、最初のＴＴＩ境界（３０２）では、全ＴｒＣＨの全ＴＦが有効となっている。ここでＴＦＣＩを復号した結果、‘４’になったとする。ＴｒＣＨ＃１のＴＦは‘１’と判定され、その設定でデータ復号及びＣＲＣ判定を行う。
【００１３】
ＣＲＣ判定がＯＫ（誤りなし）の場合、このＴＦＣＩの‘４’は確からしいと判断し、残りのＴｒＣＨ＃０（０，０）のＴＦを‘１’，ＴｒＣＨ＃２（２，０）のＴＦを‘１’と確定する。
【００１４】
次のＴＴＩ境界（３０４）でＴＦＣＩを復号する時、（０，０）と（２，０）とはすでにＴＦ‘１’，‘１’とわかっているため、ＴＦＣＩとしては‘１’か‘４’のいずれかに絞り込むことが可能である。
【００１５】
【発明の実施の形態】
次に、本発明の実施例について図面を参照して説明する。図１は本発明の一実施例によるＴＦ判定装置の構成を示すブロック図である。図１において、本発明の一実施例によるＴＦ判定装置１はデータ入力部１１と、ＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）判定部１２と、データ復号部１３と、データ出力部１４と、ＴＦＣＩ絞込部１５と、記録媒体１６とから構成されている。
【００１６】
データ入力部１１はデータの入力部であり、ＴＦＣＩ判定部１２は入力データからＴＦＣＩ情報を分離／復号し、ＴＦ（Ｔｒａｎｓｐｏｒｔ　Ｆｏｒｍａｔ：トランスポートフォーマット）を確定するブロックである。
【００１７】
データ復号部１３はＴＦ情報を元にデータを復号し、ＣＲＣ（Ｃｙｃｌｉｃ　Ｒｅｄｕｎｄａｎｃｙ　Ｃｈｅｃｋ）を判定するブロックである。データ出力部１４は復号データの出力部であり、ＴＦＣＩ絞込部１５はＣＲＣとＴＦＣＩ情報を基にＴＦＣＩの絞込み情報を作成するブロックである。記録媒体１６はコンピュータ（図示せず）が実行するプログラムを記録する媒体であり、そのプログラムをコンピュータが実行することで上記の各部の処理が実現される。
【００１８】
ここで、ＴｒＣＨ（Ｔｒａｎｓｐｏｒｔ　Ｃｈａｎｎｅｌ：トランスポートチャネル）は物理レイヤからＭＡＣ（Ｍｅｄｉａ　Ａｃｃｅｓｓ　Ｃｏｎｔｒｏｌ）サブレイヤに提供されるチャネルで、物理レイヤ上で特性や伝送形態の異なるデータを送信するために複数の種類がある。
【００１９】
ＴＴＩ（Ｔｒａｎｓｍｉｓｓｉｏｎ　Ｔｉｍｅ　Ｉｎｔｅｒｖａｌ）はＴｒａｎｓｐｏｒｔ　Ｂｌｏｃｋ　Ｓｅｔ［同一ＴｒＣＨで同時に、レイヤ１−ＭＡＣ間で転送される基本単位であるトランスポートブロック（Ｔｒａｎｓｐｏｒｔ　Ｂｌｏｃｋ）の集まりとして定義される］のレイヤ間の到着間隔と定義され、無線インタフェース上にレイヤ１によってＴｒａｎｓｐｏｒｔ　Ｂｌｏｃｋ　Ｓｅｔが転送される時間間隔と同一の値となる。ＭＡＣはＴＴＩ毎にレイヤ１にデータを供給する。また、レイヤ１はトランスポートブロック単位でＣＲＣを付与する。
【００２０】
ＴＦはＴｒＣＨ上でＴＴＩ毎にトランスポートブロックを供給するＦｏｒｍａｔであり、ＴＦＣＩはＴＦＣ（Ｔｒａｎｓｐｏｒｔ　Ｆｏｒｍａｔ　Ｃｏｍｂｉｎａｔｉｏｎ）に１対１で対応し、レイヤ１がＴＦＣから生成して無線インタフェース上で送信する。
【００２１】
また、ＴＦＣＩは受信側レイヤ１において、受信データのデコード並びにトランスポートブロックの分離に使用される。レイヤ１は複数のＴｒＣＨを多重化することができるので、レイヤ１で同時に転送可能なＴｒＣＨの組合せが存在し、この組合せがＴＦＣと定義されている。
【００２２】
図２はＴＴＩの異なるＴｒＣＨが多重されている例を示すタイムチャートであり、図３はＴＦＣＩとＴＦとの対応例を示す図であり、図４は本発明の一実施例によるＴＦ判定装置１の動作を示すフローチャートである。これら図１〜図４を参照して本発明の一実施例によるＴＦ判定装置１の動作について説明する。図４を示す処理はコンピュータが記録媒体１６のプログラムを実行することで実現される。
【００２３】
図３において、ＴＦＣＩが‘０’の場合にはＴｒＣＨ＃０のＴＦが‘０’、ＴｒＣＨ＃１のＴＦが‘０’、ＴｒＣＨ＃２のＴＦが‘０’となり、ＴＦＣＩが‘１’の場合にはＴｒＣＨ＃０のＴＦが‘０’、ＴｒＣＨ＃１のＴＦが‘１’、ＴｒＣＨ＃２のＴＦが‘１’となり、ＴＦＣＩが‘２’の場合にはＴｒＣＨ＃０のＴＦが‘０’、ＴｒＣＨ＃１のＴＦが‘２’、ＴｒＣＨ＃２のＴＦが‘２’となる。
【００２４】
また、ＴＦＣＩが‘３’の場合にはＴｒＣＨ＃０のＴＦが‘１’、ＴｒＣＨ＃１のＴＦが‘０’、ＴｒＣＨ＃２のＴＦが‘３’となり、ＴＦＣＩが‘４’の場合にはＴｒＣＨ＃０のＴＦが‘１’、ＴｒＣＨ＃１のＴＦが‘１’、ＴｒＣＨ＃２のＴＦが‘１’となり、ＴＦＣＩが‘５’の場合にはＴｒＣＨ＃０のＴＦが‘１’、ＴｒＣＨ＃１のＴＦが‘２’、ＴｒＣＨ＃２のＴＦが‘０’となる。
【００２５】
まず、ＴＦＣＩ絞込部１５は接続時に全てのＴｒＣＨの全てのＴＦを有効とする　（図４ステップＳ１）。ＴＦＣＩ判定部１２はいずれかのＴｒＣＨがＴＴＩ境界になった場合（図２の３０２，３０４，３０６等のタイミング）（図４ステップＳ２）、無効なＴＦを含むＴＦＣＩを候補からはずしてＴＦＣＩを復号する（図４ステップＳ３）。データ復号部１３はＴＦＣＩ復号結果からＴＴＩ境界となるＴｒＣＨのＴＦを確定し、データの復号を行う（図４ステップＳ４）。
【００２６】
ＴＦＣＩ絞込部１５はデータ復号部１３でのデータの復号結果からＣＲＣを判定し（図４ステップＳ５）、その判定結果が‘ＯＫ’（誤りなし）の場合、ＴＴＩ境界でないＴｒＣＨ（例えば、図２の３０２のタイミングではＴｒＣＨ＃１，ＴｒＣＨ＃２）のＴＦを現在のＴＦＣＩから確定し、その他のＴＦを無効とする（図４ステップＳ６）。その判定結果が‘Ｎｏ’（誤りあり）の場合にはこの処理を行わない。
【００２７】
さらに、ＴＴＩ境界となるＴｒＣＨは次のｆｒａｍｅ（トランスポートブロックに対応）では別のＴＦをとり得るため、ＴＦＣＩ絞込部１５はＴＴＩ境界のＴｒＣＨの全てのＴＦを有効とし（図４ステップＳ７）、次のＴＴＩ境界を待つ（図４ステップＳ２）。
【００２８】
このように、本実施例では、データ復号部１３でのデータの復号結果からＣＲＣを判定し、その判定結果が‘ＯＫ’（誤りなし）の場合、ＴＴＩ境界でないＴｒＣＨのＴＦを現在のＴＦＣＩから確定し、その他のＴＦを無効とし、ＴＴＩ境界のＴｒＣＨの全てのＴＦを有効とすることによって、ＴＴＩが短いＴｒＣＨのＴＦの判定精度を向上させることができる。
【００２９】
図５は本発明の他の実施例によるＴＦ判定装置の動作を示すフローチャートである。本発明の他の実施例によるＴＦ判定装置の構成は図１に示す本発明の一実施例によるＴＦ判定装置１と同様の構成となっているので、これら図１及び図５を参照して本発明の他の実施例によるＴＦ判定装置の動作について説明する。尚、ＴＦ判定の対象となる信号は図２に示す信号である。
【００３０】
まず、ＴＦＣＩ絞込部１５は接続時に全てのＴｒＣＨの全てのＴＦを有効とする（図５ステップＳ１１）。ＴＦＣＩ判定部１２はｆｒａｍｅ境界（図２の３０１，３０２，３０３等）において（図５ステップＳ１　２）、無効なＴＦを含むＴＦＣＩを候補からはずしてＴＦＣＩを判定する（図５ステップＳ１　３）。
【００３１】
ＴＴＩ境界の場合の処理は上述した本発明の一実施例と同様の処理となる（図５ステップＳ１　４，Ｓ１６〜Ｓ１９）。ＴＴＩ境界でない場合（図５ステップＳ１　４）、ＴＦＣＩ絞込部１５はＴＴＩ境界でないＴｒＣＨ（例えば、図２の３０１のタイミングではＴｒＣＨ＃１，ＴｒＣＨ＃２）のＴＦを現在のＴＦＣＩから確定し、その他のＴＦを無効とし（図５ステップＳ１５）、次のｆｒａｍｅ境界を待つ（図５ステップＳ１２）。
【００３２】
このように、本実施例では、ＴＴＩ境界でないＴｒＣＨのＴＦを現在のＴＦＣＩから確定し、その他のＴＦを無効とすることによって、ＴＴＩが短いＴｒＣＨのＴＦの判定精度を向上させることができる。
【００３３】
本実施例を本発明の一実施例の場合と比較すると、ＴｒＣＨの多重方法がＦｌｅｘｉｂｌｅ　Ｐｏｓｉｔｉｏｎの場合にｆｒａｍｅ単位でＴｒＣＨを分離することが可能となる。
【００３４】
【発明の効果】
以上説明したように本発明は、データの到着間隔が異なる複数のトランスポートチャネルが多重自在な無線伝送方式において、到着間隔毎にデータを供給するためのトランスポートフォーマットをトランスポートチャネル毎に判定するＴＦ判定装置において、到着間隔が異なるトランスポートチャネルが多重されている場合に到着間隔が最短のトランスポートチャネル上のデータの誤り検出結果を基に他のトランスポートチャネルの到着間隔を確定させてそれ以降の受信データのデコード並びにＴｒａｎｓｐｏｒｔ　Ｂｌｏｃｋの分離に使用されるＴＦＣＩを絞込むことによって、同一データに対して異なるトランスポートフォーマットを示す可能性を減らすことができ、トランスポートフォーマット判定特性を向上させることができるという効果が得られる。
【図面の簡単な説明】
【図１】本発明の一実施例によるＴＦ判定装置の構成を示すブロック図である。
【図２】ＴＴＩの異なるＴｒＣＨが多重されている例を示すタイムチャートである。
【図３】ＴＦＣＩとＴＦとの対応例を示す図である。
【図４】本発明の一実施例によるＴＦ判定装置の動作を示すフローチャートである。
【図５】本発明の他の実施例によるＴＦ判定装置の動作を示すフローチャートである。
【符号の説明】
１　ＴＦ判定装置
１１　データ入力部
１２　ＴＦＣＩ判定部
１３　データ復号部
１４　データ出力部
１５　ＴＦＣＩ絞込部
１６　記録媒体
【図１】
2004088519.tif 000003
【図２】
2004088519.tif 000004
【図３】
2004088519.tif 000005
【図４】
2004088519.tif 000006
【図５】
2004088519.tif 000007